(57)【特許請求の範囲】
【請求項１】
紙製造装置内の乾燥シリンダからもたらされる紙ウェブ（Ｗ）を受容してロール（２）に巻き取り、当該紙ウェブ（Ｗ）を切断することで形成される終端部（１９）から新たなロール（２）を開始するための巻取機（１）であって、
増大する直径の紙ロール（２）を生成するように紙ウェブ（Ｗ）が巻き取られ得る、回転可能に装着されたリールスプール（３）と、
ループを形成するようにして所定の移動経路に沿って回転するために装着された無限可撓ベルト（４）と、
を備え、
当該可撓ベルト（４）は、前記リールスプール（３）上に巻き取られる紙材料の量に対して、前記可撓ベルト（４）がある量だけ前記所定の移動経路から偏向されるように、巻き取りの間に前記リールスプール（３）に対して前記紙ウェブ（Ｗ）に係合するように、前記リールスプール（３）に隣接して配置されており、
一対の水ノズル（１４、１５）が配置され、各ノズル（１４、１５）は、前記終端部（１９）が生成されるように、前記紙ウェブ（Ｗ）が前記可撓ベルト（４）に到達する前の位置で当該紙ウェブ（Ｗ）を切断するべく、ウェブ切断用のウォータージェット流を当該紙ウェブ（Ｗ）に対して方向付け得るようになっており、
各水ノズル（１４、１５）は、前記紙ウェブ（Ｗ）の移動方向を横断する方向に移動可能であるように配置されており、
接着剤ノズル（１７）が、前記リールスプール（３）に対して、または、前記終端部（１９）に対して、接着剤の流れを方向付けるように配置されている
ことを特徴とする巻取機（１）。
【請求項２】
切断装置（１８）が、前記ウェブを幅が等しい２つの部分に分割するために配置されており、
前記切断装置（１８）は、前記ウォータージェットが前記紙ウェブ（Ｗ）を切断するために配置されている位置の上流の位置で当該紙ウェブ（Ｗ）に作用するように、配置されている
ことを特徴とする請求項１に記載の巻取機（１）。
【請求項３】
前記接着剤ノズル（１７）は、前記紙ウェブ（Ｗ）が前記リールスプール（３）に対して係合される領域において、その接着剤の流れを前記可撓ベルト（４）の表面に実質的に平行な方向に方向付けるように、配置されている
ことを特徴とする請求項１に記載の巻取機（１）。
【請求項４】
前記可撓ベルト（４）に隣接して装着され、前記所定の移動経路からの当該可撓ベルト（４）の偏向量を測定するように配置された偏向センサ（１０）と、
前記可撓ベルト（４）の偏向量を変化させるように前記リールスプール（３）と前記可撓ベルト（４）とを互いに対して位置決めするためのアクチュエータ（１１）と、
前記偏向センサ（１０）及び前記アクチュエータ（１１）に接続され、前記紙ロール（２）が直径において増大するにしたがって前記可撓ベルト（４）の前記偏向量を制御するためのコントローラ（１２）と、
を更に備えた
ことを特徴とする請求項１乃至３のいずれかに記載の巻取機（１）。
【請求項５】
前記接着剤ノズル（１７）は、それが接着剤の流れを前記リールスプール（３）に対して方向付けることが可能な活動位置と、前記リールスプール（３）から離間された不活位置と、の間を移動可能であるように配置されている
ことを特徴とする請求項１に記載の巻取機。
【請求項６】
ロールを形成するように紙ウェブ（Ｗ）を巻き取り、当該紙ウェブ（Ｗ）を切断することによって形成される終端部（１９）から新たなロール（２）を開始するための方法であって、
リールスプール（３）に対して無限可撓ベルト（４）を係合させる工程と、
前記無限可撓ベルト（４）を所定の移動経路に沿って移動させ、前記リールスプール（３）の表面が前記可撓ベルト（４）と共に移動して当該可撓ベルト（４）と共にニップを形成するように、前記リールスプール（３）を回転させる工程と、
前記紙ウェブ（Ｗ）を前記可撓ベルト（４）上に受容する工程と、
前記紙ウェブ（Ｗ）を前記ニップ内に前進させ、直径において増大するロール（２）を形成するように当該ウェブ（Ｗ）を前記リールスプール（３）の周囲に方向付ける工程と、を備え、
２つのウォータージェットによって、前記紙ウェブ（Ｗ）を当該紙ウェブ（Ｗ）が前記可撓ベルト（４）に到達する前の位置において切断し、紙の終端部（１９）が前記２つのウォータージェットの間に形成されるようにする工程と、
前記ウォータージェットを前記紙ウェブ（Ｗ）の移動方向を横断する方向に移動させる工程と、
前記リールスプール（３）または前記終端部（１９）に対して接着剤の流れを方向付ける工程と、を更に有している
ことを特徴とする方法。
【請求項７】
前記ウォータージェットが起動されていない初期段階において巻取機（１）を操作する工程と、
前記紙ウェブ（Ｗ）が前記可撓ベルト（４）に到達した時に２つの部分に分割されるように、前記ウォータージェットが前記紙ウェブ（Ｗ）を切断するために配置されている前記位置の上流の位置において前記紙ウェブ（Ｗ）を幅が等しい２つの部分に切断する切断装置を起動する工程と、
分割されていないウェブが前記可撓ベルト（４）に到達するように、前記切断を停止する工程と、
前記紙ウェブ（Ｗ）が２つの側方部分（２０、２１）と当該側方部分（２０、２１）によって両側が取り囲まれた１つの終端部（１９）とに切断されるように、前記紙ウェブ（Ｗ）の移動方向を横断する方向に互いに離間された２つの位置において、前記ウォータージェットによる切断を開始する工程と、
前記リールスプール（３）または前記終端部（１９）に対して接着剤の流れを方向付け、前記終端部（１９）が前記紙ウェブ（Ｗ）の幅全体に到達するまで当該終端部（１９）の幅が増大するように、前記紙ウェブ（Ｗ）の移動方向を横断する方向に前記ウォータージェットを移動させる工程と、
前記紙ウェブ（Ｗ）が再び２つの部分に切断されるように、前記切断装置（１８）を再び起動させる工程と、を更に含む
ことを特徴とする、請求項６に記載の方法。
【発明の詳細な説明】
【技術分野】
【０００１】
本発明は、巻取機、及び、紙ウェブをロールに巻き取り新たなロールを開始するための方法、に関する。
【背景技術】
【０００２】
抄紙機の巻取機内に紙ウェブをロール状に巻き取る時、製紙装置内の乾燥シリンダからもたらされる紙ウェブは、紙ロールを形成するためにリールスプール上に巻き取られる。紙ロールが完成すると、新たにもたらされる紙ウェブは、新たな紙ロールが新たな紙ロール上に巻き取られるように、新たなリールスプールに切り替えられなければならない。この新たなリールスプールへの交換の操作は、ターンアップとして知られている。
【０００３】
完成したリールと新たなリールとの間の交換のために、幾つかの異なる方法が提案されている。細い終端部をウェブの終端部において切断するために提案されている１つの方法は、当該終端部が最初は古いロール上に巻き取られている。この文脈において、「終端部」とは、紙ウェブから切り出された幅狭のストリップを意味し、当該終端部は、紙ウェブ全体の幅よりも狭い（細い）。新たなリールスプールは、幅狭の終端部に向かって移動され、幅狭の終端部が新たなリールスプールに接着され、当該終端部が全体の幅まで拡幅されるように、当該幅狭の終端部または当該リールスプールに接着剤が適用される。終端部が新たなリールスプールに接着されると、もはや古い紙ロール上に巻き取られないように、当該終端部は剥ぎ取られる。この既知の方法において、交換のために失われる時間は、典型的には約１０−１５秒程度である。この方法の不利な点は、新たな紙ロールが、幅狭の終端部が最初に接着される新たなリールスプールの端部において、不可避的に幾分厚くなるということである。新たなリールスプールの反対の端部において、紙ウェブは一層緩く巻き取られるようになり得る。
【０００４】
他の既知の方法は、予め接着テープが設けられたリールスプールを使用することである。この方法の問題は、リールスプールを扱うことが一層困難になるということである。
【０００５】
他の既知の方法は、「バルーンブローイング」である。バルーンブローイングは、完成したリールを幾分遅延させることで、ウェブの幅全体を横切るたるみを生成することを必然的に伴う。圧縮空気の支援により、このようにして形成されたひだは、その後、新たなリールシャフトとリールドラムとの間のニップ内に入れられ、その後ウェブが切断される。このタイプのリール交換の信頼性を高めるために、リールスプールまたは紙ウェブに接着剤が適用され得る。バルーンブローイングの信頼性は低く、その事例の５０〜６０％で交換が成功するということを経験が示している。操作が成功しない時には、新たな試みが必ず行われる。
【０００６】
従来示されている他の方法は、ウェブの幅に亘って配置された接着剤ノズルを支持するビームを用いることである。この接着剤ノズルが用いられる方法は、アメリカ特許Ｎｏ．６，８０５，３１７に開示されている。
【０００７】
ターンアップを達成する更に他の既知の方法は、ウォータージェットによって紙ウェブを切断することである。この方法は、いくぶん異なる形態をとり得るが、紙ウェブの中央で幅狭の終端部を切断するために使用される２つの水ノズルを必然的に伴い、接着剤用のノズルが、当該幅狭の終端部が新たなリールスプールに出会う場所である当該新たなリールスプールの中央にて、当該新たなリールスプールに接着剤を適用するために使用される。水ノズルは、その後、幅狭の終端部が幅広にされ最終的に全体の幅に到達するように、紙ウェブの端部に向かって移動される。このような方法の例は、例えばＷＯ９７／４８６３２及びＵＳ５，３６０，１７９に開示されている。この方法は、時に、「ウォータージェットによるターンアップ（water jet turn-up）」と呼ばれる。
【０００８】
近年、新たな種類のターンアップが提案されている。これは、巻き取りが圧力ロールに対してではなく、無限可撓部材に対して行われる。そのような巻き取りは、例えばアメリカ特許Ｎｏ．５，９０１，９１８に開示されており、このタイプの巻き取りは、とりわけティッシュペーパーの等級（grades）にとって、極めて良好な結果をもたらす。
【０００９】
本発明の目的は、巻き取りが無限可撓部材に対して行われる巻き取り、すなわちＵＳ５，９０１，９１８に開示されている種類の巻き取りにおいて、ターンアップ操作のための良好な解決策を提供することである。
【発明の概要】
【００１０】
本発明は、製紙装置内の乾燥シリンダからもたらされる紙ウェブＷを受容してロール状に巻き取るための、及び、当該紙ウェブＷを切断することによって形成される終端部から新たなロールを開始するための、巻取機に関する。本発明の巻取機は、回転可能に装着され、増大する直径の紙ロールを生成するように紙ウェブＷが巻き取られるリールスプールと、ループを形成するようにして所定の移動経路に沿って回転するために装着された無限可撓ベルトと、を備えている。前記可撓ベルトは、前記リールスプール上に巻き取られる紙材料の量に対して可撓ベルトがある量だけ前記所定の移動経路から偏向されるように、巻き取りの間に前記リールスプールに対して前記紙ウェブＷに係合するように、前記リールスプールに隣接して配置されている。２つの水ノズルが配置され、各ノズルは、前記紙ウェブＷが前記可撓ベルトに到達する前の位置で、前記終端部が生成されるように、当該紙ウェブＷを切断するべく、ウェブ切断用のウォータージェット流を当該紙ウェブＷに対して方向付け得るようになっている。各水ノズルは、前記紙ウェブＷの移動方向を横断する方向に移動可能であるように配置されており、接着剤ノズルが、前記リールスプールに対して、及び／または、前記終端部に対して、接着剤の流れを方向付けるように、配置されている。接着剤ノズルは、リールスプールの両軸の端部から離れた位置において、好ましくは接着剤の流れをリールスプールに対して及び／または終端部に対して方向付けるように配置されている単一のノズルであることが好ましい。最も好ましくは、接着剤ノズルは、リールスプールの軸方向長さの中央の位置、すなわちリールスプールの軸方向の両端の間の中央において、当該リールスプールに対して及び／または終端部に対して接着剤の流れを方向付けるように配置された単一のノズルである。
【００１１】
有利な実施の形態において、ウェブを幅が等しい２つの部分に分割するために、切断装置が配置されている。この切断装置は、その後、紙ウェブＷを切断するために配置されたウォータージェットの位置の上流の位置において紙ウェブＷに作用するように、配置されている。
【００１２】
接着剤ノズルは、好ましくは、しかし必須ではないが、紙ウェブＷがリールスプールに対して係合されている領域において可撓ベルトの表面に実質的に平行な方向に接着剤の流れを方向付けるように、配置されている。
【００１３】
本発明の有利な実施の形態において、前記巻取機は、前記可撓ベルトに隣接して装着され、前記所定の移動経路からの当該可撓ベルトの偏向量を測定するように配置された偏向センサを備えている。前記巻取機は、好ましくは、前記可撓ベルトの偏向量を変化させるように、前記リールスプールと前記可撓ベルトとを互いに対して位置決めするためのアクチュエータを、更に含み得る。偏向センサとアクチュエータとを有するそのような実施の形態では、前記偏向センサ及び前記アクチュエータに接続され、前記紙ロールが直径において増大するにしたがって前記可撓ベルトの前記偏向量を制御するためのコントローラが存在していることが好ましい。
【００１４】
有利な実施の形態では、前記接着剤ノズルは、それが接着剤の流れを前記リールスプールに対して（または終端部に対して）方向付けることが可能な活動位置と、前記リールスプールから離間された不活位置と、の間を移動可能であるように配置されている。
【００１５】
本発明は、更に、ロールを形成するように紙ウェブを巻き取り、当該紙ウェブを切断することによって形成される終端部から新たなロールを開始するための方法に関する。この方法は、リールスプールに対して無限可撓ベルトを係合させる工程と、前記無限可撓ベルトを所定の移動経路に沿って移動させ、前記リールスプールの表面が前記可撓ベルトと共に移動して当該可撓ベルトと共にニップを形成するように、前記リールスプールを回転させる工程と、を備えている。本発明の方法は、前記紙ウェブＷを前記可撓ベルト上に受容する工程と、前記紙ウェブＷを前記ニップ内に前進させ、直径において増大するロールを形成するように、当該ウェブＷを前記リールスプールの周囲に方向付ける工程と、を更に備えている。本発明の方法はまた、２つのウォータージェットによって、前記紙ウェブＷを当該紙ウェブＷが前記可撓ベルトに到達する前の位置において切断し、紙の終端部が前記２つのウォータージェットの間で形成されるようにする工程と、前記ウォータージェットを前記紙ウェブＷの移動方向を横断する方向に移動させる工程と、前記リールスプール及び／または前記終端部に対して接着剤の流れを方向付ける工程と、を有している。
【００１６】
本発明の有利な実施の形態において、本方法は、選択的に、前記ウォータージェットが起動（活性化）されていない初期段階において巻取機を操作する工程と、前記紙ウェブＷが前記可撓ベルトに到達した時に２つの部分に分割されるように、前記ウォータージェットが前記紙ウェブＷを切断するために配置されている前記位置の上流の位置において前記紙ウェブＷを幅が等しい２つの部分に切断する切断装置を起動する工程と、を更に備える。本方法は、分割されていないウェブが前記可撓ベルトに到達するように、前記切断を停止する工程と、前記紙ウェブＷが２つの側方部分と当該側方部分によって両側が取り囲まれた１つの終端部とに切断されるように、前記紙ウェブＷの移動方向を横断する方向に互いに離間された２つの位置において、前記ウォータージェットによる切断を開始する工程と、の追加的な工程を備え得る。接着剤の流れは、その後、前記リールスプール及び／または前記終端部に対して方向付けられ、前記ウォータージェットは、前記終端部が前記紙ウェブＷの幅全体に到達するまで当該終端部の幅が増大するように、前記紙ウェブＷの移動方向を横断する方向に移動される。最後に、前記紙ウェブＷが再び２つの部分に切断されるように、前記切断装置（１８）が再び起動され得る。
【図面の簡単な説明】
【００１７】
【図１】本発明の巻取機が使用されている製紙装置の部分的な概略側面図である。
【図２】本発明に関するタイプの巻取機の部分的な概略側面図である。
【図３】図２に類似した概略側面図であり、本発明の更なる特徴を示している。
【図４】ターンアップに関連して、紙ウェブがどのようにして切断されるかを示す上面図である。
【図５】終端部を切断する代替方法を示す上面図である。
【図６】ターンアップ直後の状況を示す概略側面図である。
【図７】本発明の一実施の形態によるターンアップ前のウェブの上面図である。
【図８】図７に示される状況に続く工程を説明する上面図である。
【図９】図８による工程に続く工程の上面図である。
【図１０】図９による工程に続く工程の上面図である。
【発明の詳細な説明】
【００１８】
図１を参照すると、ティッシュペーパーを製造するための抄紙機が示されている。図１に示されている抄紙機の構成は、本発明が使用され得る配置の一例であるが、本発明はまた、他の装置においても使用され得て、図１の配置は単なる一例であるということが理解されるべきである。図１では、形成区画（図１において図示されていない）内で形成された紙ウェブＷが、乾燥シリンダ２５（すなわちＴＡＤ（通気乾燥）シリンダ２５）を超えて空気透過性のＴＡＤワイヤ２４上を通過させられる。参照数字２６は、フードを示している。運転時には、加熱空気がＴＡＤシリンダ２５の内側から吹き出し、ＴＡＤワイヤ２４及び紙ウェブＷの外側へと通過する。選択的に、空気は、代わりにフード２６から吹き出し、紙ウェブＷ及びＴＡＤワイヤ２４を通過してＴＡＤシリンダ２５内へと吹き込み得る。ＴＡＤワイヤは、ロール２７に支持されてループ状に延びている。紙ウェブＷは、ＴＡＤワイヤ２４からヤンキー乾燥シリンダであり得る乾燥シリンダ２２まで、移動される。紙ウェブＷは、ＴＡＤワイヤ２４のループ内で乾燥シリンダ２２とロール２７との間に形成されるニップ内に、移動され得る。紙ウェブＷは、（例えば加熱蒸気によって内部が加熱されるヤンキーシリンダであり得る）乾燥シリンダ２２上で、更に乾燥され、当該乾燥シリンダ２２から離されて巻取機１へと渡される。ヤンキーシリンダは、例えば、鋳鉄シリンダ、または選択的に、ＥＰ２４７６８０５にて開示されているものと実質的に同種の溶接鋼シリンダであり得る。選択的に、ドクタリング装置２３が、乾燥シリンダ２２から紙ウェブＷを取り出すために使用され得る。紙ウェブＷは、開放状態（open draw）で終わっている経路に沿って巻取機１へと渡され得る。選択的に、紙ウェブＷは、乾燥シリンダ２２からの移動経路の一部にある、あるいは選択的に、乾燥シリンダ２２から巻取機１までの移動経路全体に沿った、任意のウェブ支持装置によって支持され得る。図１の配置では、紙ウェブＷは、乾燥シリンダ２２から巻取機１へと開放状態で（すなわち、支持されずに）通過する。
【００１９】
巻取機１は、乾燥シリンダ２２からもたらされる紙ウェブを受け取りロール２に巻き取るように意図され配置されている、ということが今や理解されるであろう。巻取機１は、古いロールがその最大の寸法（直径）に到達した時に、終端部から新しいロールを開始するようにも配置されている。当業者に理解されるように、新しいロールとして開始する工程は、紙ウェブを切断することによって形成される終端部を用いて行われ得る。
【００２０】
図１及び図２を参照すると、巻取機１は、回転可能に装着されたリールスプール３を有している。このリールスプール３上で紙ウェブＷが巻き取られ、増大する直径の紙ロール２が生成される。巻取機１は、所定の移動経路に沿って回転するために装着された無限可撓ベルト４を更に有し、当該無限可撓ベルト４は、ループを形成するようになっている。この可撓ベルト４は、当該可撓ベルト４がリールスプール３上に巻き取られる紙の量に対してある量だけ前述の所定の移動経路から偏向するように巻き取り時にリールスプール３に対して紙ウェブＷを係合させるべく、当該リールスプールに隣接して位置付けられている。そのような巻取機の一例が、アメリカ特許Ｎｏ．５９０１９１８から知られており、本発明の巻取機１は、当該特許で開示されている全ての特徴が組み込まれるように、設計され得る。
【００２１】
図２を参照すると、巻取機１は、有利には、可撓ベルト４に隣接して装着され、所定の移動経路からの可撓ベルト４の偏向量Ｄを測定するために配置された、偏向センサ１０を有し得る。紙がリールスプール３上に巻き取られるにつれて、紙ロール２の直径は増大し、これは所定の移動経路からの可撓ベルト４の増大した偏向Ｄをもたらす。結果として、図２におけるニップＣ内のニップ圧は増大し得るが、このことは、紙ウェブが一様に巻き取られないため、望ましくない。ニップＣ内の圧力を一定に維持するため、巻取機１は、アメリカ特許Ｎｏ．５９０１９１８によって実質的に設計され得る。可撓ベルト４の偏向量を偏向するべく、アクチュエータ１１がリールスプール３及び可撓ベルト４を互いに対して位置決めするために配置され得て、コントローラ１２が偏向センサ１０とアクチュエータ１１とに接続され得る。偏向センサ１０から偏向Ｄについての情報を受信するコントローラ１２は、アクチュエータ１１が紙ウェブＷの巻き取られるリールスプール３を動かすように振る舞い得るようにアクチュエータ１１を制御するべく、配置されている。リールスプール３は、好ましくは、運搬部１３内に回転可能に装着されており、アクチュエータ１１が当該運搬部１３に対して作用するように配置され得る。リールスプール３の各軸端は、そのような運搬部１３内で静止し、当該リールスプール３の各軸端に作用するアクチュエータ１１が存在し得る、というように理解されるべきである。運搬部１３がレール（不図示）に沿って移動可能であるように設置され得て、当該運搬部１３がレール上を滑る間、アクチュエータ１１は運搬部１３を可撓ベルト４から離れる方向に押圧可能であるようになっている。運搬部１３は、選択的に、レール上を転動するための車輪を有し得る。コントローラ１２は、好適には、偏向Ｄを所定の水準に維持するように、または、それを所定の限界値内に維持するように、プログラムされ得る。可撓ベルト４の偏向Ｄが大きくなり過ぎた場合、コントローラ１２は、この情報を偏向センサ１０から受信する。その後、コントローラ１２は、１以上のアクチュエータ１１に対して、リールスプールを可撓ベルト４から離れる方向に移動させるように作用するよう、信号を与える。この方法では、紙ロール２が直径において増大するにつれて、可撓ベルト４の偏向Ｄの量を制御することができる。偏向Ｄの量を制御することによって、ニップＣ内の圧力が実質的に一定に維持され得る。
【００２２】
紙ロール２が最大の寸法に到達すると、完成したロール２は除去され、新たなロールが開始される。これは、紙ウェブＷが新たなリールスプール３上に巻き付くことを開始しなければならない、すなわちターンアップ操作が行われなければならない、ということを意味する。
【００２３】
ターンアップ操作を行うために、この種のターンアップのための好適な方法が選択されなければならない。原理的には、可撓ベルト４は、当該可撓ベルト４を介して吹き込まれる大量の空気を許容するために十分に透過性を有している場合には、バルーンブローイングが使用され得る。しかしながら、透過性のベルトを使用することが常に望ましいわけではない。更に、可撓ベルト４がある程度の透過性を有していたとしても、その透過性はバルーンブローイングの目的のためには不満足にも低い。
【００２４】
原理的に、粘着テープを有するリールスプールを使用することもまた可能である。しかしながら、そのようなリールスプールを扱う場合の通常の困難性に加え、そのような粘着テープを有するスプールは、ウェブとリールスプールとの間に可撓ベルトを伴って達成することが難しいある圧力を必要とするので、粘着テープを有するスプールは、可撓ベルトと関連して使用することが難しい。
【００２５】
可撓ベルトを用いた巻取機は、紙ウェブの実質的に幅全体の上方に配置された接着剤ノズルを用いた、幅全体のターンアップ法を用いることもできる。この方法を用いることにより、良いと考えられる全ての場合の約８０％〜約８５％において最初の試みで好結果のターンアップを達成することができる、ということを経験が示している。しかしながら、ティッシュの等級になると、とりわけ紙ウェブＷがヤンキーシリンダからクレープ加工された場合、空気中に大量のゴミがしばしば存在する。大量のゴミが存在する環境においては、接着剤ノズルの使用は、接着剤とゴミとのかたまりがウェブＷ上に落下して紙ロールの一部となるため、最小限にされるべきである。
【００２６】
以上のような理由のため、本件発明者は、可撓ベルトを有する巻取機のための最も好適なターンアップ法は「ウォータージェットターンアップ」法を用いることである、ということを見出した。
【００２７】
ウォータージェットターンアップ法が可撓ベルトを有する巻取機に使用されるならば、ウォータージェットは、原理的には、紙ウェブＷが可撓ベルトに保持及び支持されている時に切断されるように、当該可撓ベルトに向かって方向付けられる。しかしながら、本件発明者は、ウォータージェットによる切断は紙ウェブＷが可撓ベルトに到達する前に行われるべきである、ということを見出した。紙ウェブＷは、支持なしで容易に切断され得る。しかしながら、ウェブがベルトに支持されている間に切断されると、ベルトの一方向への移動を妨げ得て、これがまたウェブＷをその移動経路において妨げ得て、正確ではない切断に帰結する。更に、ウェブＷが可撓ベルト４に保持されている間に当該ウェブＷを切断することは、可撓ベルト４上での不所望な摩耗を引き起こし得る。
【００２８】
図３及び図４を参照すると、本発明の巻取機１は、一対の水ノズル１４、１５を有している。水ノズル１４、１５は、各水ノズル１４、１５が、紙ウェブＷが可撓ベルト４に到達する前の位置において当該紙ウェブＷを切断するように、紙ウェブＷに対してウェブ切断用のウォータージェット流を方向付け得る。紙ウェブＷは、従って、それが可撓ベルト４に到達する前に水ノズル１４、１５によって切断される。図４に示すように、各水ノズル１４、１５は、紙ウェブＷの移動方向の横断する方向に移動可能であるように配置されている。図４では、水ノズル１４、１５が、それらがビーム１６に沿って移動し得るように、いかにしてビーム１６上に装着されているかが視認され得る。しかしながら、水ノズル１４、１５を保持するために他の方法もまた採用され得るということが理解されるべきである。
【００２９】
図３に示すように、接着剤ノズル１７が、接着剤の流れを新たなリールスプール３に方向付けるように、配置されている。接着剤ノズル１７は、好ましくは、接着剤のその流れを、紙ウェブＷがリールスプール３に対して係合する領域において可撓ベルト４の表面に実質的に平行な方向に方向付けるように、配置される。選択的に、接着剤ノズル１７は、紙ウェブの一部分に対して、すなわち終端部に対して、接着剤の流れを方向付けるように配置され得る。
【００３０】
接着剤ノズル１７は、好ましくは、紙ウェブＷの両縁部の間の中点に配置された、すなわちリールスプール３の軸方向の両端部の間で当該リールスプール３の中点において機能するように配置された、単一の接着剤ノズルである。
【００３１】
接着剤ノズル１７が単一の接着剤ノズル１７であれば、接着剤とゴミとのかたまりが形成される危険性が低下する。しかしながら、２以上の接着剤ノズル１７を有する実施例も考えられる。
【００３２】
接着剤ノズル１７（複数の接着剤ノズル１７も可能である）がその（それらの）接着剤の流れを可撓ベルト４の表面に実質的に平行な方向に方向付ける場合、これは、部分的に巻き取られた親ロール上の再巻き取り(rethread)を行うために使用され得る。
【００３３】
接着剤ノズル１７は、有利には、リールスプール３（または終端部）に対して接着剤の流れの方向付けが可能である活動位置（作動位置）と、リールスプール３の領域から離れた停止位置（不活位置）と、の間を移動可能であるように、配置される。
【００３４】
有利な実施の形態では、ウェブを幅が等しい２つの部分に分割するために、切断装置１８が選択的に配置され得る。そのような切断装置１８は、好ましくは（しかし必然性は無いが）、紙ウェブＷを切断するためにウォータージェットが配置されている位置の上流の位置において当該紙ウェブＷに作用するように配置される。
【００３５】
まず、本発明の巻取機の基本的な機能的動作が、図２を参照してこれより説明される。通常の動作の時、無限可撓ベルト４は、リールスプール３に対して係合されており、当該無限可撓ベルト４は、所定の移動経路に沿って移動される。リールスプール３は、当該リールスプール３の表面が可撓ベルト４と共に移動して当該可撓ベルト４と共にニップを形成するように、回転される。紙ウェブＷは、可撓ベルト４上に受容され、ニップＣ内に進められて、直径が増大するロール２を形成するようにリールスプール３の周囲に方向付けられる。ロール２がその最大の寸法に到達した時、それは取り除かれ、新たなリールスプール３が運転される。
【００３６】
図３、図４、図５及び図６を参照して、リールスプール３の交換がこれより説明される。図３に示すように、古いリールスプール３ａ上の紙ロール２は、その最大の寸法に到達すると、新たな空のリールスプール３ｂが紙ウェブを受容するための位置にもたらされる。リールスプール３ｂは、古いリールスプール３ａに引き続き巻き付くことがない可撓ベルト４上の紙ウェブに、接触する。図３及び図４に更に示すよう、水ノズル１４、１５が紙ウェブＷを切断するために配置されている。ターンアップの時、紙ウェブＷは、水ノズル１４、１５からもたらされるウォータージェットによって切断される。紙ウェブＷは、当該紙ウェブの移動の方向において可撓ベルト４の上流の位置において、切断される。図４を参照すると、水ノズル１４、１５は、初期状態では、機械方向を横切るように互いに間隔を空けて位置付けられている。水ノズル１４、１５が起動されると、当該水ノズル１４，１５からもたらされるウォータージェットは、紙ウェブＷを３つの部分に分割する。従って、終端部１９が中央に、すなわちウォータージェットの間に、形成される。幅狭の終端部１９の各側には、紙ウェブＷの側方部分２０、２１が存在する。接着剤ノズル１７が、新たなリールスプール３ｂに対して、または選択的に終端部１９に対して、接着剤の流れを方向付けるために、起動される。接着剤が新たなリールスプール３ｂと終端部１９との双方に方向付けられることも可能である。接着剤ノズル１７が、接着剤が新たなリールスプール３ｂと終端部１９との双方に到達するような方法で接着剤の流れを排出するように配置されている、という実施の形態も考えられる。接着剤ノズル１７は、ウェブの幅を横切る方向における水ノズル１４、１５の初期位置に対応する位置、すなわちウェブの幅を横切る（機械方向を横断する）方向における水ノズル１４、１５の間の位置に、配置される。この方法で、幅狭の終端部１９に接触する新たなリールスプール３ｂの一部において、接着剤が当該新たなリールスプール３ｂに適用される。選択的に、接着剤ノズル１７は、終端部１９が新たなリールスプール３ｂに接着されるように接着剤が当該終端部１９に適用されるように、配置され得る。幅狭の終端部１９はその後、新たなリールスプール３ｂ上に巻き取られ始める。図４を参照すると、水ノズル１４、１５は、機械方向を横切るように、すなわち紙ウェブの移動の方向を横切る方向に、移動される。ウォータージェットが移動すると、終端部１９は幅広になる。図４において、ウェブは矢印Ａの方向に移動するということが理解される。このため、矢印Ａは、機械方向を示しており、水ノズル１４、１５は、機械方向を横断する（すなわち機械方向を横切る）方向に移動するように配置されている。図４の実施の形態では、水ノズル１４、１５が装着されているビーム１６が機械方向を横断するように延在している。水ノズル１４、１５からのウォータージェットが紙ウェブＷを横切って移動される時、側方部分２０、２１は、図４に示すようにより幅狭になる。ウォータージェットが紙ウェブＷの縁部に到達すると、終端部１９はウェブＷの幅全体に達し、紙ウェブは今や、新たなリールスプール３ｂ上に巻き取られる。図６を参照すると、新たなロール２が新たなリールスプール３ｂ上に形成し始める時に、リールスプール３ａ上に巻き取られた完成したロール２がどのようにして可撓ベルト４から取り除かれるかが確認される。
【００３７】
図５は、紙ウェブＷを切断する代替的な方法を示している。この実施の形態では、水ノズル１４、１５は、ウォータージェットが互いに横切って異なる形態の終端部をもたらすような方法で、移動される。しかしながら、その機能は、図３、図４及び図６を参照して既に説明された機能と同じである。図５において、ウェブＷは矢印Ａの方向に移動するということが理解されるべきである。
【００３８】
ターンアップを達成することが可能な方法が、図７乃至図１０を参照してこれより説明される。紙ウェブは、それがリールスプール３上に巻き取られる前に分割されることが望ましい場合がある。リールスプール３には、選択的に、２つの別々のコアが設けられ得る（図示されていない）。紙ウェブＷがリールスプール３に到達する前に分割される場合、各コアは、それ自身の紙ウェブＷの分割部分を受容し得る。このような場合のターンアップが行われるためには、次の手順が使用され得る。
【００３９】
初期段階において、ウォータージェットを生じる水ノズル１４，１５は起動されていないが、切断装置１８は、ウォータージェットが紙ウェブＷを切断するために配置されている位置の上流の位置において２つの幅の等しい部分に当該紙ウェブＷが切断されるように、作動される。
【００４０】
紙ウェブＷは、従って、それが可撓ベルト４に到達する時に、２つの部分に分割される。図７において、紙ウェブＷが切断装置１８によって切断線ＣＬに沿ってどのようにして分割されるかが、視認され得る。切断装置１８は、その後、切断が行われないように停止される。図８を参照すると、紙ウェブは今や、分割されておらず、この分割されていないウェブが可撓ベルト４に到達する。しかしながら、紙ウェブＷの移動方向を横切る方向において互いに間隔が空けられた２つの位置でウォータージェットによって紙ウェブＷが切断されるように、ウォータージェットによる切断が、今やほとんど同時に開始される。紙ウェブＷは、２つの側方部分２０，２１と、当該２つの側部２０，２１によって両側が取り囲まれる終端部１９と、に切断される。これは、図９に図示されている。前述したように、接着剤の流れが新たなリールスプール３ｂまたは終端部１９に対して方向付けられ、ウォータージェットが紙ウェブＷの移動の方向に対して横断する方向に、移動される。これによって、終端部１９の幅が、当該終端部１９が紙ウェブＷの幅全体に達するまで増大する。図１０を参照すると、切断装置１８は、紙ウェブＷが再び２つの部分に切断されるように、再度起動される。原理的には、水ノズル１４、１５は、切断装置１８が活性化（起動）されるのと実質的に同時に活性化され得る、ということが理解されるべきである。
【００４１】
紙ウェブＷの縁部の代わりに当該紙ウェブＷの中央で幅狭の終端部を切断することによって、紙ロールの厚みの違いがリールスプール３の軸方向においてそれほど大きくはならないという利益が、享受され得る。
【００４２】
切断装置１８を使用することにより、幅広の紙ウェブが２つのより幅の狭いロールにされる。リールスプール３はその後、選択的に、２つの別々の部分に分割され得る。
【００４３】
本発明は、巻取機及び紙ウェブの巻取方法の面で説明されたが、これらのカテゴリーは、同一の発明の異なる側面を反映させたのみに過ぎないということが、理解されるべきである。本発明は、従って、本発明の巻取機を使用することの当然の結果である工程を、そのような工程が明示的に言及されているか否かに関わらず、含み得る。
【図１】
0006325110.tif 000002
【図２】
0006325110.tif 000003
【図３】
0006325110.tif 000004
【図４】
0006325110.tif 000005
【図５】
0006325110.tif 000006
【図６】
0006325110.tif 000007
【図７】
0006325110.tif 000008
【図８】
0006325110.tif 000009
【図９】
0006325110.tif 000010
【図１０】
0006325110.tif 000011